(57)【要約】      （修正有）【課題】二重反射形のレンズを用いて、小型化であって所望の配光性能が得られるランプ装置及びこのランプ装置を用いた照明装置を提供する。【解決手段】ランプ装置１０は、一端側に開口部２１を有する筐体１１と、発光面を有し、筐体１１内に配設された発光体１２と、発光面からの光が入射する入射面４２、入射面４２に対向配置され入射面４２から入射する光を入射面４２の周囲へ向けて反射する第１の反射面４４、入射面４２の周囲に配置され第１の反射面４４で反射した光を反射する第２の反射面４５及び第２の反射面４５の反対側に設けられ第２の反射面４５で反射した光を出射する出射面４３を有し、出射面４３が開口部２１側に位置するとともに入射面４２が発光面に接触または近接するように筐体１１内に配設されたレンズ体１３と、筐体１１の他端側に配設された給電部１６と、筐体１１内に配設された点灯回路１７と、を具備している。【選択図】図１
2016115459.tif 000002
【特許請求の範囲】
【請求項１】
一端側に開口部を有する筐体と；
発光面を有し、前記筐体内に配設された発光体と；
前記発光面からの光が入射する入射面、この入射面に対向配置され前記入射面から入射する光を前記入射面の周囲へ向けて反射する第１の反射面、前記入射面の周囲に配置され前記第１の反射面で反射した光を反射する第２の反射面およびこの第２の反射面の反対側に設けられ前記第２の反射面で反射された光を出射する出射面を有し、この出射面が前記開口部側に位置するとともに前記入射面が前記発光面に接触または近接するように前記筐体内に配設されたレンズ体と；
前記筐体の他端側に配設された給電部と；
前記筐体内に配設された点灯回路と；
を具備していることを特徴とするランプ装置。
【請求項２】
前記レンズ体は、前記入射面と前記第２の反射面との間に設けられて、前記入射面から入射する光を前記第１の反射面へ向けて反射する第３の反射面を有していることを特徴とする請求項１記載のランプ装置。
【請求項３】
前記発光体および前記レンズ体は、前記発光面と前記入射面との間に透光性の中間材が配設されていることを特徴とする請求項１または２記載のランプ装置。
【請求項４】
前記発光体は、発光素子および蛍光体を含有して前記発光素子を封止して前記発光面を形成する透光性樹脂を有し、前記中間材には前記透光性樹脂に含有された蛍光体と同一または別の蛍光体が含有されていることを特徴とする請求項３記載のランプ装置。
【請求項５】
前記レンズ体の前記第１の反射面の中央部には、前記入射面から入射する光を光軸方向に配光制御する中央レンズ部が設けられていることを特徴とする請求項１ないし４いずれか一記載のランプ装置。
【請求項６】
請求項１ないし５いずれか一記載のランプ装置と；
このランプ装置の前記給電部が装着されるソケットと；
このソケットを配設している装置本体と；
を具備していることを特徴とする照明装置。
【発明の詳細な説明】
【技術分野】
【０００１】
本発明の実施形態は、レンズ体を備えたランプ装置およびこのランプ装置を用いた照明装置に関する。
【背景技術】
【０００２】
従来、光源としてＬＥＤ（発光ダイオード）を用いるとともに、このＬＥＤからの光を入射して配光を制御するレンズを用いたランプ装置（ＬＥＤ電球）がある。このランプ装置には、光の配光を絞る指向性を有するものがある。従来、配光を絞る手段として全反射型レンズが用いられているが、レンズが肉厚であることにより、ランプ装置の小型化が制約を受けるなどの課題がある。
【０００３】
近年、ランプ装置には、薄形で配光を絞ることが可能な二重反射形のレンズが用いられているものがある。この二重反射形のレンズは、ＬＥＤからの光を入射する入射面、入射面とは反対側に設けられる出射面、入射面に対向配置され入射面から入射する光を入射面の周囲に向けて反射する第１の反射面および入射面の周囲に配置されて第１の反射面で反射した光を出射面へ向けて反射する第２の反射面を有して形成されている（例えば特許文献１参照。）。
【先行技術文献】
【特許文献】
【０００４】
【特許文献１】特開２０１３−１３５９８５号公報（第５−６頁、第１Ｄ図）
【発明の概要】
【発明が解決しようとする課題】
【０００５】
指向性を有するランプ装置は、例えば１０〜３５°のビーム角を有する狭角配光、高いビーム光束や高い照射面均斉度が望まれており、このため、レンズの設計とともに発光部の小型化が必要不可欠となっている。しかしながら、発光部を小形化すると、ＬＥＤ等で構成される発光体の温度が上昇して、光の出射効率が低下するという問題がある。
【０００６】
本実施形態は、二重反射形のレンズを用いて、小型化であって所望の配光性能が得られるランプ装置およびこのランプ装置を用いた照明装置を提供することを目的とする。
【課題を解決するための手段】
【０００７】
本実施形態のランプ装置は、筐体、発光体、レンズ体、給電部および点灯回路を有して構成される。
【０００８】
筐体は、一端側に開口部を有し、他端側に給電部が配設され、内部に点灯回路が配設される。発光体は、発光面を有し、筐体内に配設される。
【０００９】
レンズ体は、入射面、出射面、第１および第２の反射面を有してなる。入射面は、発光体の発光面からの光が入射する。第１の反射面は、入射面に対向配置されて、入射面から入射する光を入射面の周囲へ向けて反射する。第２の反射面は、入射面の周囲に配置されて、第１の反射面で反射した光を出射面へ向けて反射する。出射面は、第２の反射面の反対側に設けられて、第２の反射面で反射された光を入射して出射する。そして、レンズ体は、出射面が筐体の開口部側に位置するとともに、入射面が発光体の発光面に接触または近接するように筐体内に配設される。
【００１０】
給電部は、点灯回路の入力側であり、点灯回路は、発光体を点灯するように形成される。
【発明の効果】
【００１１】
本実施形態のランプ装置によれば、レンズ体の入射面が発光体の発光面に接触または近接するので、発光体の熱がレンズ体を介して放熱されることにより、発光体の温度上昇を抑制できることが期待できる。
【図面の簡単な説明】
【００１２】
【図１】本発明の第１の実施形態を示すランプ装置の概略断面図である。
【図２】同上、ランプ装置の概略斜視図である。
【図３】同上、ランプ装置を用いた照明装置の概略断面図である。
【図４】同上、レンズ体および発光体の概略断面図である。
【図５】本発明の第２の実施形態を示すランプ装置の概略断面図である。
【図６】同上、レンズ体および発光体の概略断面図である。
【発明を実施するための形態】
【００１３】
以下、本発明の一実施形態について、図面を参照して説明する。まず、本発明の第１の実施形態について説明する。
【００１４】
図１および図２に、電球形ランプであるランプ装置１０を示す。このランプ装置１０は、筐体１１を備え、さらに、この筐体１１の一端側（ランプ装置１０の中心軸方向の一端側）に配設される発光体１２、レンズ体１３およびカバー１４を備えるとともに、筐体１１の他端側に配置されるケース１５、給電部としての口金１６および点灯回路１７を備えている。
【００１５】
そして、筐体１１は、例えばアルミニウムなど金属材料によって一体成形されている。筐体１１の一端側には、一端側へ向けて拡開する略半球形状の本体部１９が形成され、筐体１１の他端側には、他端側へ向けて開口する円筒部２０が形成されている。筐体１１は、いわゆるＪＤＲランプの形状に近似するように形成されている。
【００１６】
筐体１１の一端側には、筐体１１の一端側に開口する開口部２１が形成されている。筐体１１の他端側には、筐体１１の他端側に開口する凹部２２が形成されている。開口部２１および凹部２２の間には、仕切部２３が形成されている。開口部２１の内周には、発光体１２を取り付けるための取付面２４が突設されている。仕切部２３には、発光体１２と点灯回路１７とを電気的に接続するための配線を通す配線孔２５が形成されている。
【００１７】
筐体１１の一端部の内周側には、レンズ体１３を取り付けるレンズ取付部２６が形成されている。筐体１１の一端部の外周側には、カバー１４を取り付けるカバー取付部２７が形成されている。
【００１８】
発光体１２は、基板３０および発光部３１を有している。基板３０は、高熱伝導率を有する金属板例えばアルミニウム板からなり、所定の厚さの円盤に形成されている。発光部３１は、図４に示すように、発光素子としてのＬＥＤ３２および透光性樹脂３３を有して形成されている。すなわち、基板３０の一面側３０ａに不図示の絶縁層が形成され、この絶縁層上にＬＥＤチップからなる複数個のＬＥＤ３２がＣＯＢ（Chip On Board）方式により実装され、ＬＥＤ３２を包囲して円筒状の土手３４が設けられて、この土手３４内に透光性樹脂３３が充填されている。ＬＥＤ３２は、青色光を発光するものである。また、透光性樹脂３３は、例えばシリコーン樹脂からなり、青色光を黄色光に波長変換する蛍光体３５を所定の濃度で含有している。
【００１９】
透光性樹脂３３の上面３３ａは、平面状（平坦状）に形成されており、青色光および黄色光を出射する光出射面であり、発光体１２の発光面となっている。発光体１２は、図１に示すように、その基板３０が仕切部２３の取付面２４に取り付けられている。これにより、発光体１２は、筐体１１内に配設されている。なお、発光部３１は、有機ＥＬ等の発光素子を用いて形成してもよい。
【００２０】
レンズ体１３は、透光性を有するガラスあるいは合成樹脂などの部材により形成されている。レンズ体１３は、薄形で配光を絞ることが可能な二重反射形のレンズである。レンズ体１３は、レンズ本体４０およびこのレンズ本体４０の周辺部に設けられた取付部４１を有している。
【００２１】
レンズ本体４０は、発光体１２の発光面３３ａからの光が入射する平面状の入射面４２、この入射面４２とは反対側に設けられる出射面４３、入射面４２に対向配置され入射面４２から入射する光を入射面４２の周囲へ向けて反射する第１の反射面４４および入射面４２の周囲に配置され第１の反射面４４で反射した光を出射面４３へ向けて反射する第２の反射面４５を有している。さらに、本実施形態では、入射面４２と第２の反射面４５との間に設けられ入射面４２から入射する光を第１の反射面４４に向けて反射する第３の反射面４６を有している。
【００２２】
出射面４３と第１の反射面４４とは、レンズ体１３の前面で共通に形成されており、レンズ体１３の前面への光の入射角に応じて、出射面４３または第１の反射面４４として機能するように構成されている。
【００２３】
レンズ本体４０の入射面４２側（照射方向とは反対側）には入射側の窪み部４７が略円柱状に形成され、この窪み部４７の底部に入射面４２が平面状に形成されている。窪み部４７の入射面４２の周囲の底部には、断面三角形の凹条が形成されており、内側の内面が第３の反射面４６に形成されている。そして、窪み部４７の周囲には、レンズ本体４０から突出する突出部４８が環状に形成されている。
【００２４】
レンズ本体４０の前面には出射側の窪み部４９が形成され、この窪み部４９の内面に沿って出射面４３および第１の反射面４４が形成されている。第１の反射面４４は、その中央部が入射面４２に近付くように窪んで形成されている。窪み部４９は、その中央部が凹曲面状に窪んでその中心が最も窪み量が大きく、中央部から周辺部へ向けて徐々に窪み量が少なくなるとともになだらかな凸曲面状に湾曲されている。なお、第１の反射面４４の一部には、反射膜が蒸着されている。
【００２５】
第２の反射面４５は、入射面４２側から出射面４３側に向けて徐々に拡径され、回転楕円面あるいは放物面状の曲面に形成されている。この第２の反射面４５には、反射膜が蒸着されている。
【００２６】
レンズ本体４０の出射面４３の周辺部４３aには、照射方向とは反対方向に向けて傾斜する傾斜面４９が形成されている。取付部４１は、レンズ本体４０から外径方向に突出され、レンズ本体４０の周囲に環状に形成されている。
【００２７】
そして、レンズ体１３は、図４に示すように、発光体１２の基板３０の一面３０ａ側に配設されている。このとき、レンズ体１３の入射面４２が発光体１２の発光面３３ａに接触または近接するように配設されている。すなわち、そのように、レンズ体１３の窪み部４７や発光体１２の発光部３１が設計されている。なお、近接は、０．１〜０．５ｍｍであればよい。
【００２８】
図１において、カバー１４は、透光性を有する材料で、中心に開口部６０を有する環状に形成されている。カバー１４は、レンズ体１３の出射面４３の周辺部４３ａに形成された傾斜面４９を覆うとともに傾斜面４９に接触し、筐体１１のカバー取付部２７に取り付けられている。カバー１４は、レンズ体１３を筐体１１との間に挟持している。
【００２９】
ケース１５は、例えばポリブチレンテレフタレート（ＰＢＴ）樹脂などの絶縁材料により、円筒状に形成されている。このケース１５は、筐体１１の凹部２２に取り付けられる円筒状の本体部７０およびこの本体部７０の他端側に連続し筐体１１の凹部２２から突出する口金取付部７１を備えている。口金１６は、一般照明電球用のソケットに接続可能な給電部であり、本実施形態ではＥ形口金であり、ケース１５の口金取付部７１に取り付けられている。
【００３０】
点灯回路１７は、交流電源を所定の直流電源に変換して発光体１２のＬＥＤ３２に供給する。点灯回路１７は、回路を構成する複数の回路素子８０が実装された回路基板８１を有している。回路基板８１は、ケース１５の軸方向に沿って挿入されてケース１５内にて本体部７０ないし口金取付部７１に亘って収納されている。点灯回路１７の入力側には、口金１６が電気的に接続されている。点灯回路１７の出力側には発光体１２と電気的に接続するための電線が電気的に接続されている。電線は、筐体１１の配線孔２５を通じて配線される。
【００３１】
図３には、ランプ装置１０を使用する照明装置９０を示す。照明装置９０は、例えばダウンライトである。照明装置９０は、装置本体９１を有し、この装置本体９１内にソケット９２および反射体９３が配設されている。ソケット９２は、ランプ装置１０の口金１６が電気的に接続され、ランプ装置１０に交流電源を供給可能とする。
【００３２】
次に、本発明の第１の実施形態の作用について述べる。
【００３３】
照明装置９０のソケット９２に装着されたランプ装置１０に交流電力を供給すると、点灯回路１７により交流電力を所定の直流電力に変換して発光体１２のＬＥＤ３２に供給する。ＬＥＤ３２は、点灯して発熱するとともに青色光を放射する。この青色光の一部は、透光性樹脂３３を透過して、発光体１２の発光面（透光性樹脂３３の上面）３３ａから出射する。また、青色光の一部は、透光性樹脂３３に含有された蛍光体３５に入射して黄色光に波長変換されて発光面３３ａから出射する。青色光および黄色光のそれぞれの光は、レンズ体１３の入射面４２に入射する。
【００３４】
入射面４２に入射した光は、入射面４２からレンズ本体４０に入射する。そして、入射光は、図４において光線Ｂ１で示すように、入射面４２に対向した第１の反射面４４に入射して第１の反射面４４で入射面４２の周囲に配置される第２の反射面４５へ向けて反射される。第１の反射面４４で反射した光は、第２の反射面４５で出射面４３へ向けて反射される。第２の反射射面４５で反射した光は、出射面４３から照射方向へ向けて出射される。そして、出射面４３から出射する光は、光軸に沿って照射方向へ向かい、狭い照射角の配光となる。
【００３５】
また、発光面３３ａから出射した光のうち、レンズ体１３の光軸方向に対して出射角度の大きい広がり光は、光線Ｂ２で示すように、入射面４２から第３の反射面４６に入射して第３の反射面４６で第１の反射面４４へ向けて反射され、第１の反射面４４で第２の反射面４５に向けて反射され、第２の反射面４５で出射面４３へ向けて反射され、出射面４３から照射方向へ向けて出射される。光線Ｂ２の光は、光軸に沿って照射方向へ向かい、狭い照射角の配光を形成する。
【００３６】
仮に、第３の反射面４６が設けられていないと、発光面３３ａから出射した広がり光は、入射面４２から直接的に第２の反射面４５に入射して反射される。この反射光は、出射面４３から広がり光となって出射し、狭い照射角の配光を形成しなくなる。
【００３７】
そして、ＬＥＤ３２に発生した熱は、基板３０および透光性樹脂３３に熱伝導する。基板３０および発光部３１は、温度上昇する。基板３０に熱伝導した熱は、筐体１１の仕切部２３から本体部１９および円筒部２０に熱伝導して外部空間に放出される。透光性樹脂３３に熱伝導した熱は、レンズ体１３に熱伝達して、レンズ体１３から外部空間に放出される。ここで、発光部３１の発光面３３ａとレンズ体１３の入射面４２とは接触または近接しているので、発光部３１の熱は、レンズ体１３に効率よく熱伝達する。また、レンズ体１３は、相応の体積を有するので、発光部３１からレンズ体１３に迅速に熱伝達する。これにより、発光部３１の温度上昇が抑制される。
【００３８】
なお、発光部３１の発光面３３ａとレンズ体１３の入射面４２とは接触しているのが好ましいが、０．５ｍｍ以下の近接であれば、発光面３３ａと入射面４２との空間が極小であるので、発光面３３ａから入射面４２側に良好に熱伝達される。しかしながら、０．１ｍｍを下回る近接であると、レンズ体１３と発光体１２とを量産的に精度よく一体化させるのが難しい。したがって、発光部３１の発光面３３ａとレンズ体１３の入射面４２とを近接させるときには、０．１〜０．５ｍｍとするのが好ましい。
【００３９】
ＬＥＤ３２および透光性樹脂３３の温度上昇が抑制されると、それぞれの経時劣化が抑制されて、光の出射効率の低下が抑制されるようになる。
【００４０】
本実施形態のランプ装置１０によれば、発光体１２の発光面３３ａと二重反射形のレンズ体１３の入射面４２とが接触または近接しているので、発光体１２の熱が筐体１１およびレンズ体１３を介して放熱されることにより、発光体１２の温度上昇を抑制することができて、光の出射効率の低下を抑制することができるという効果を有する。
【００４１】
また、ランプ装置１０は、発光体１２の発光面３３ａから放射された広がり光を第１の反射面４４に向けて反射する第３の反射面４６を有しているので、発光体１２の発光面３３ａとレンズ体１３の入射面４２とが接触または近接するものであっても、狭い照射角の配光を得ることができるという効果を有する。
【００４２】
そして、本実施形態の照明装置９０は、狭い照射角の配光により、被照射物や被照射面を照明できるという効果を有する。
【００４３】
次に、本発明の第２の実施形態について述べる。
【００４４】
図５に、本実施形態のランプ装置１０Ａを示す。なお、図５において、図１と同一部分および同一部分に相当する部分には同一符号を付して、説明は省略する。
【００４５】
ランプ装置１０Ａは、発光体１２の発光面３３ａとレンズ体１３Ａの入射面４２との間に透光性の中間材３６が配設されている。発光面３３ａと入射面４２との間は、中間材３６により空隙のないものとなっている。
【００４６】
中間材３６は、例えばシリコーン樹脂からなり、例えば厚さ１〜５ｍｍに形成されている。そして、本実施形態では、中間材３６には、図６に示すように、透光性樹脂３３に含有された蛍光体３５と同一の蛍光体３５が所定の濃度で含有されている。
【００４７】
また、本実施形態では、レンズ体１３Ａは、第１の反射面４４の中央部に中央レンズ部１３ｂが設けられている。中央レンズ部１３ｂは、レンズ本体４０から突出する凸レンズ形を成すように一体的に膨出している。
【００４８】
次に、本発明の第２の実施形態の作用について述べる。
【００４９】
発光体１２の発光面３３ａから出射した青色光および黄色光のそれぞれの光は、中間材３６を通ってレンズ体１３Ａの入射面４２に入射する。中間材３６の屈折率は、透光性樹脂３３の屈折率とほぼ同じであるので、発光面３３ａから出射した光は、中間材３６により、レンズ体１３Ａの光軸側に屈折されて入射面４２に入射する。入射面４２に入射した光は、第１の反射面４４、第２の反射面４５および第３の反射面４６で反射されて出射面４３から出射する。発光面３３ａからの光が中間材３６でレンズ体１３Ａの光軸側に屈折されることにより、レンズ体１３Ａからの出射光は、狭い照射角の配光を形成しやすくなる。
【００５０】
そして、中間材３６の蛍光体３５は、発光体１２の発光面３３ａから出射された青色光の一部を黄色光に波長変換する。レンズ体１３Ａの入射面４２に入射する青色光および黄色光のそれぞれの光束が所定の比率となり、レンズ体１３Ａから出射される白色光が所定の色度となる。
【００５１】
第１の実施形態では、透光性樹脂３３の発光面３３ａで青色光および黄色光のそれぞれの一部が透光性樹脂３３内に反射される。この反射された青色光の一部は、透光性樹脂３３内で反射を繰り返すうちに蛍光体３５により黄色光に波長変換されて発光面３３ａから出射される。これにより、発光面３３ａから出射してレンズ体１３に入射する青色光および黄色光のそれぞれの光束が所定の比率となり、レンズ体１３から出射するものである。
【００５２】
本実施形態において、仮に、中間材３６に蛍光体３５が含有されていないと、発光面３３ａに達した光のうち、発光面３３ａで透光性樹脂３３内に反射される光は、極めて小さく、大部分の光が中間材３６を通ってレンズ体１３Ａの入射面４２に入射して出斜面４３から出射する。このとき、透光性樹脂３３内での蛍光体３５による青色光の黄色光への波長変換が減少することにより、青色光および黄色光のそれぞれの光束が所定の比率となりにくい。これを解消する手段としては、透光性樹脂３３内での蛍光体３５の濃度を高くすることが挙げられる。しかしながら、蛍光体３５の濃度を高くなるほど、蛍光体３５での光吸収や反射ロスなどにより、発光面３３ａから出射する光の出射効率が低下する。したがって、透光性樹脂３３および中間材３６がそれぞれ所定の濃度で蛍光体３５を含有することにより、光の出射効率を良好にし、青色光および黄色光のそれぞれの光束を所定の比率として、発光面３３ａからの光がレンズ体１３Ａに入射して出射可能であるので、効果的である。
【００５３】
なお、中間材３６は、その屈折率が透光性樹脂３３の屈折率とレンズ体１３Ａの屈折率の間のものであれば、発光面３３ａからの出射光がレンズ体１３Ａの光軸側により屈折される。また、中間材３６は、蛍光体３５を含有しなくてもよく、蛍光体３５と別の蛍光体例えば赤色蛍光体や緑色蛍光体を含有してもよい。蛍光体３５の含有の有無や別の蛍光体の含有により、レンズ体１３Ａから出射される白色光の色度を調整できる。
【００５４】
そして、入射面４２からレンズ本体４０内を導光する光のうち、レンズ体１３Ａの光軸に対する角度の小さい光は、図６において光線Ｂ３で示すように、中央レンズ部１３ｂに入射し、中央レンズ部１３ｂにより光軸方向側に屈折されて外部空間に出射する。これにより、第１の反射面４４から入射面４２側に反射される光が低減されて、入射面４２に入射した光のレンズ本体４０内で光損失が低減される。この結果、レンズ体１３Ａから出射する光の出射効率が向上するとともに、被照射面の中央部における光量が確保されて、照射面の光均斉度が向上する。
【００５５】
そして、ＬＥＤ３２に発生した熱は、基板３０から筐体１１に熱伝導して外部空間に放出されるとともに、発光部３１から中間材３６に熱伝導され、レンズ体１３Ａに熱伝導して外部空間に放出される。レンズ体１３Ａの入射面４２と発光部３１の発光面３３ａとの間は、中間材３６に充填されて空隙がないので、発光部３１の熱は、迅速に放熱される。これにより、ＬＥＤ３２および透光性樹脂３３の温度上昇が抑制される。
【００５６】
本実施形態のランプ装置１０Ａによれば、発光体１２の発光面３３ａとレンズ体１３Ａの入射面４２との間に中間材３６が配設されて、発光面３３ａからの光がレンズ体１３Ａの光軸側に屈折されることにより、レンズ体１３Ａからの出射光が狭い照射角の配光を形成しやすくなるという効果を有する。
【００５７】
また、中間材３６に蛍光体３５が含有されているので、透光性樹脂３３内および中間材３６内で蛍光体３５により青色光を黄色光に波長変換することができ、これにより、青色光および黄色光のそれぞれの光束を所定の比率とすることができて、レンズ体１３Ａから所定の色度を有する白色光を出射できるという効果を有する。
【００５８】
また、レンズ体１３Ａの第１の反射面４４の中央部４４には、入射面４２から入射する光を光軸方向に配光制御する中央レンズ部１３ｂが設けられているので、入射面４２から第１の反射面４４の中央部４４に入射する光を照射方向側に出射して第１の反射面４４から入射面４２側に反射する光を低減することができ、これにより、レンズ体１３Ａから出射される光の出射効率を向上できるとともに、被照射面への光照射の均斉度が向上するという効果を有する。
【００５９】
なお、本発明の上述した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０…ランプ装置、  １１…筐体、  １２…発光体、  １３，１３Ａ…レンズ体、  １３ｂ…中央レンズ部、  １６…給電部としての口金、  １７…点灯回路、  ２１…開口部、  ３０…基板、  ３２…発光素子としてのＬＥＤ、  ３３…透光性樹脂、  ３３ａ…発光面、  ３５…蛍光体、  ３６…中間材、  ４２…入射面、  ４３…出射面、  ４４…第１の反射面、  ４５…第２の反射面、  ４６…第３の反射面、  ９０…照明装置、  ９１…装置本体、  ９２…ソケット
【図１】
2016115459.tif 000003
【図２】
2016115459.tif 000004
【図３】
2016115459.tif 000005
【図４】
2016115459.tif 000006
【図５】
2016115459.tif 000007
【図６】
2016115459.tif 000008